【事件の表示】
　特許第２７９１３１３号「画像通信装置及び方法」の請求項１ないし５に係る特許に対する特許異議の申立てについて、次のとおり決定する。
【結論】
　訂正を認める。
　特許第２７９１３１３号の請求項１ないし２、４ないし５に係る特許を維持する。
【理由】
（１）手続の経緯
　特許第２７９１３１３号の請求項１乃至５に係る発明についての出願は、平成１年１０月３１日に特許出願した特願平１−２８５８９４号の一部を平成８年１０月３１日に新たな特許出願としたものであり、平成１０年６月１２日にその発明について特許の設定登録がなされ、その後、その特許について、申立人鵜久森須惠子より特許異議の申立てがなされ、取消理由通知がなされ、その指定期間内である平成１１年８月２４日に訂正請求がなされたものである。
（２）訂正の適否についての判断
ア．訂正の内容
　特許権者が求めている訂正の内容は以下の通りである。
ａ．請求項１「所定の画像を示すカラー圧縮された第１圧縮データを出力する第１圧縮手段と、
前記所定の画像を示す白黒圧縮された第２圧縮データを出力する第２圧縮手段と、
通信相手先の機能に応じて、前記第１圧縮データもしくは第２圧縮データを選択的に出力する出力制御手段と、
該出力制御手段により選択された第１圧縮データもしくは第２圧縮データを前記通信相手先に送信する送信手段とを有することを特徴とする画像通信装置。」を
「所定の画像を示すカラー圧縮された第１圧縮データを出力する第１圧縮手段と、
　通信相手先の機能に応じて、既に得られた前記第１圧縮データを用いて、前記所定の画像を示す白黒圧縮された第２圧縮データを出力する第２圧縮手段と、
　前記通信相手先の機能に応じて、前記第１圧縮データもしくは第２圧縮データを選択的に出力する出力制御手段と、
　該出力制御手段により選択された第１圧縮データもしくは第２圧縮データを前記通信相手先に送信する送信手段とを有することを特徴とする画像通信装置。」に訂正すると共に、第５段落における「前記所定の画像を示す白黒圧縮された第２圧縮データを出力する第２圧縮手段」を「通信相手先の機能に応じて、既に得られた前記第１圧縮データを用いて、前記所定の画像を示す白黒圧縮された第２圧縮データを出力する第２圧縮手段」と訂正する。
ｂ．請求項２「前記相手先の機能とは圧縮データを伸張する機能であることを特徴とする請求項１に記載の画像通信装置」を
「前記通信相手先の機能とは前記カラー圧縮された第１圧縮データ、或いは前記白黒圧縮された第２圧縮データを伸張する機能であることを特徴とする請求項１記載の画像通信装置。」に訂正する。
ｃ．請求項３を削除する。
ｄ．請求項４を請求項３とする。
ｅ．請求項５「所定の画像を示すカラー圧縮された第１圧縮データを出力させる第１圧縮ステップと、
前記所定の画像を示す白黒圧縮された第２圧縮データを出力させる第２圧縮ステップと、
通信相手先の機能に応じて、前記第１圧縮データもしくは第２圧縮データを選択的に出力させ、出力された第１圧縮データもしくは第２圧縮データを前記通信相手先に送信させる送信ステップとを有することを特徴とする画像通信方法。」を
「所定の画像を示すカラー圧縮された第１画像データを出力させる第１圧縮ステップと、
　通信相手先の機能に応じて、既に得られた前記第１圧縮データを用いて、前記所定の画像を示す白黒圧縮された第２圧縮データを出力させる第２圧縮ステップと、
　前記通信相手先の機能に応じて、前記第１圧縮データもしくは第２圧縮データを選択的に出力させ、出力された第１圧縮データもしくは第２圧縮データを前記通信相手先に送信させる送信ステップとを有することを特徴とする画像通信方法。」と訂正し、同時に請求項４とする。
ｆ．明細書第４段落における「カラー圧縮された画像データ、白黒圧縮された画像データの送受信を効率良く行うことを目的とする。」を「カラー圧縮された画像データ、白黒圧縮された画像データの生成及び送受信を通信相手先に応じて効率良く行うことを目的とする。」と訂正する。
ｇ．明細書第６７段落における「通信相手先の機能に応じて、所定の画像をカラー圧縮した第１圧縮データと、所定の画像を白黒圧縮した第２圧縮データのどちらかを選択的に送信するので、第１圧縮データ、第２圧縮データの送受信を効率良く行うことができる。たとえば、通信相手先がカラー伸張機能を有さない白黒画像通信装置であった場合には、予め送信側で白黒圧縮された第２圧縮データを送信するので、確実にデータ受信、データ処理（伸張処理）及び送信側の意図にあった画像出力等が可能になる。」を「所定の画像を示すカラー圧縮された第１圧縮データを出力する第１圧縮手段と、通信相手先の機能に応じて、既に得られた前記第１圧縮データを用いて、前記所定の画像を白黒圧縮した第２圧縮データを出力する第２圧縮手段と、前記通信相手先の機能に応じて、前記第１圧縮データもしくは第２圧縮データを選択的に出力する出力制御手段と、該出力手段により選択された第１圧縮データもしくは第２圧縮データを前記通信相手先に送信するので、第１圧縮データ、第２圧縮データの生成及び送受信を通信相手先に応じて効率良く行うことができる。たとえば、通信相手先がカラー伸張機能を有さない白黒画像通信装置であった場合には、前記第１圧縮データを用いて生成された第２圧縮データを送信するので、原稿読み取りかつ圧縮後であっても、確実にデータ受信、データ処理（伸張処理）及び送信側の意図にあった画像出力等が可能になる。」に訂正する。
イ．訂正の目的の適否及び拡張・変更の存否
　上記ａ．の訂正事項に関連する記載として、願書に添付した明細書（以下、「特許明細書」という。）の発明の詳細な説明には、「カラーＦＡＸがない場合には、ハードディスク３１６に格納された画像データのうち、カラー画像圧縮の行われた部分をカラー伸張部３１９で伸張し、カラー白黒変換部３１４により白黒画像データに変換した後に白黒圧縮部３１５で白黒画像圧縮を行い再度ハードディスク３１６に格納する。このようにしてカラー部分を白黒圧縮に変更し（Ｓ１３）、白黒ＦＡＸに送信する（Ｓ１４）。」（【００５９】欄）、が記載されている。そうすると、上記ａ．の請求項１についての訂正は特許明細書に記載された事項の範囲内において、第２圧縮手段を限定するものであって、特許請求の範囲の減縮を目的とするものである。また、第５段落についての訂正は、請求項１の訂正に従って、請求項の記載と発明の詳細な説明の記載との整合をはかるものであるから、明りょうでない記載の釈明を目的とするものである。
　上記ｂ．の訂正は、特許明細書に記載された事項の範囲内において、「圧縮データを伸張する機能」と第１圧縮データ及び第２圧縮データとの関係が明りょうになるように訂正するものであるから、明りょうでない記載の釈明を目的とするものである。
　上記ｃ．の訂正は請求項３を削除するものであり、特許請求の範囲の減縮を目的とするものである。
　上記ｄ．の訂正は、上記ｃ．の訂正に従って、単に請求項の項番号を繰り上げるものである。
　上記ｅ．の訂正は、上記ｃ．の訂正に従って請求項の項番号を繰り上げると共に、特許明細書の記載（上記【００５９】欄）をもとに特許明細書に記載された事項の範囲内において、第２圧縮ステップを限定したものであって、特許請求の範囲の減縮を目的とするものである。
　上記ｆ．ｇ．の訂正は、特許請求の範囲の訂正に従って特許明細書の対応箇所を訂正するものであって、明りょうでない記載の釈明を目的とするものである。
　そして、上記ａ．〜ｇ．の訂正はいずれも実質的に特許請求の範囲を拡張又は変更するものではない。
ウ．独立特許要件の判断
ａ．訂正明細書の請求項１乃至４に係る発明
　訂正明細書の請求項１乃至４に係る発明は、その特許請求の範囲の請求項１乃至４に記載された、次のとおりのものと認める。
「【請求項１】所定の画像を示すカラー圧縮された第１圧縮データを出力する第１圧縮手段と、
　通信相手先の機能に応じて、既に得られた前記第１圧縮データを用いて、前記所定の画像を示す白黒圧縮された第２圧縮データを出力する第２圧縮手段と、
　前記通信相手先の機能に応じて、前記第１圧縮データもしくは第２圧縮データを選択的に出力する出力制御手段と、
　該出力制御手段により選択された第１圧縮データもしくは第２圧縮データを前記通信相手先に送信する送信手段とを有することを特徴とする画像通信装置。
　【請求項２】前記通信相手先の機能とは前記カラー圧縮された第１圧縮データ、或いは前記白黒圧縮された第２圧縮データを伸張する機能であることを特徴とする請求項１に記載の画像通信装置。
　【請求項３】更に、各画像について第１圧縮データもしくは第２圧縮データのどちらか一方を選択的に格納する共通の格納手段を有することを特徴とする請求項１に記載の画像通信装置。
　【請求項４】所定の画像を示すカラー圧縮された第１画像データを出力させる第１圧縮ステップと、通信相手先の機能に応じて、既に得られた前記第１圧縮データを用いて、前記所定の画像を示す白黒圧縮された第２圧縮データを出力させる第２圧縮ステップと、
　前記通信相手先の機能に応じて、前記第１圧縮データもしくは第２圧縮データを選択的に出力させ、出力された第１圧縮データもしくは第２圧縮データを前記通信相手先に送信させる送信ステップとを有することを特徴とする画像通信方法。」
ｂ．引用刊行物
　当審は、本件請求項１乃至５に係る発明は、下記刊行物に記載された発明に基いて当業者が容易に発明をすることができたものであるとして取消理由を通知したが、当該取消理由で引用した刊行物には次の事項が記載されている。
　刊行物（特開昭６３−２７８４６９号公報）
「カラー画像情報を読み取り、色情報を取得できる画像読み取り手段を有する画像通信装置において、相手側画像通信装置がカラー画像を記録できる記録手段を有しているかどうかを識別する手段を設け、相手側画像通信装置がカラー記録手段を有している場合には原稿画像の色情報を相手局に送信してカラー記録を行わせ、相手側画像通信装置がカラー記録手段を有していない場合には単色により色の異なる部分を識別できるよう画像情報を加工して送信することを特徴とする画像通信装置。」（特許請求の範囲）
「符号８は読取回路であり、送信原稿より主走査方向１ライン分の画信号を順次読み取り、黒情報（実際には、赤情報以外の情報）は信号線８ａに、赤情報は信号線８ｂに出力される。読取回路８はＣＣＤ（電荷結合素子）などの撮像素子、色フィルタと光学系で構成される。
　（中略）
　読み取られた赤および黒の画像を単色受信機に送信する場合、赤の画情報を加工パターンに変換するための信号変換回路１０が設けられている。
（中略）
　符号１２は、信号線８ａと信号線１０ａの信号を入力し、加算した結果を信号線１２ａに出力する加算回路である。
　符号１４は、符号化を行なう回路である。相手側ファクシミリ受信機が、２色の伝送、記録手段を有していない場合には、信号線１２ａの信号を入力し、ＭＨ（モディファイド　ハフマン）符号化、あるいはＭＲ（モディファイド　リード）符号化されたデータを信号線１４ａに出力する。また、相手側ファクシミリ受信機が２色の伝送、記録手段を有しているときには、信号線８ａの黒情報、信号線８ｂの赤情報を入力し、２色の符号化を行う。」（第３頁左下欄第１０行−第４頁左上欄第５行）
ｃ．対比・判断
　訂正明細書の請求項１に係る発明（以下「本件請求項１に係る発明」という）と上記刊行物に記載された発明とを対比すると、上記刊行物に記載された発明は、本件発明の要件である「通信相手先の機能に応じて、既に得られた前記第１圧縮データを用いて、前記所定の画像を示す白黒圧縮された第２圧縮データを出力する第２圧縮手段」について開示も示唆もしない。そして、本件請求項１に係る発明は、上記要件を備えることにより「原稿読み取りかつ圧縮後であっても、確実にデータ受信、データ処理（伸張処理）及び送信側の意図にあった画像出力等が可能になる」という引用例に記載された発明からは予測できない格別の効果を奏するものであるから、上記刊行物に記載された発明に基いて当業者が容易に発明することができたとすることはできない。
　したがって、本件請求項１に係る発明は特許出願の際独立して特許を受けることができるものである。
　訂正明細書の請求項２及び３に係る発明は、請求項１に係る発明の要件をすべて備えるものであるから、それらについても本件請求項１に係る発明と同様であり、また訂正明細書の請求項４に係る発明については、その要件である「通信相手先の機能に応じて、既に得られた前記第１圧縮データを用いて、前記所定の画像を示す白黒圧縮された第２圧縮データを出力させる第２圧縮ステップ」について、本件請求項１に係る発明と同様のことがいえる。
エ．むすび
　以上のとおりであるから、上記訂正は、特許法第１２０条の４第２項及び同条第３項で準用する第１２６条第２乃至４項の規定に適合するので、当該訂正を認める。
（３）特許異議の申立てについての判断
ア．申立ての理由の概要
　申立人鵜久森須惠子は、甲第１号証に記載された発明の符号化回路（１４）と、制御回路（３０）と、ＮＣＵ（２）、ハイブリッド回路（６）、変調器（１６）および加算回路（２０）とは、本件請求項１に係る発明の第１圧縮手段および第２圧縮手段と、出力制御手段と、送信手段とに相当し、ステップ（Ｓ５０、Ｓ５４、Ｓ５８）は、本件請求項５に係る発明の各ステップに相当し、請求項１乃至５に係る発明は、甲第１号証に記載された発明に基いて当業者が容易に発明をすることができたものであり、特許法第２９条第２項に規定された特許要件を具備しないから、特許を取り消すべき旨主張している。
イ．判断
　甲第１号証に記載された発明の符号化回路（１４）は、読取回路（８）からの直接の、あるいは信号変換回路（１０）及び加算回路（１２）を介しての画像データを相手側画像通信装置の機能に応じて選択的に符号化（圧縮）するものであり、既に得られた第１圧縮データを用いて第２圧縮データを出力するものではなく、この符号化回路（１４）が本件請求項１に係る発明の第１圧縮手段および第２圧縮手段に相当するということはできないから、申立人の主張は採用できない。
　結局、訂正後の請求項１乃至４に係る発明は、上記（２）ウ．で示したように、甲第１号証に記載された発明に基いて当業者が容易に発明することができたものとすることはできない。
エ．むすび
　以上の通りであるから、特許異議申立の理由及び証拠によっては本件請求項１乃至４（訂正前の請求項１、２、４、５に対応）に係る発明の特許を取り消すことはできない。
　また、他に本件請求項１乃至４（訂正前の請求項１、２、４、５に対応）に係る発明の特許を取り消すべき理由を発見しない。
　よって、結論の通り決定する。
【異議決定日】
平成１１年９月３０日（１９９９．９．３０）
【訂正の要旨】
訂正の要旨（訂正事項）
１．特許２７９１３１３号発明の明細書中
ａ．請求項１「所定の画像を示すカラー圧縮された第１圧縮データを出力する第１圧縮手段と、
前記所定の画像を示す白黒圧縮された第２圧縮データを出力する第２圧縮手段と、
通信相手先の機能に応じて、前記第１圧縮データもしくは第２圧縮データを選択的に出力する出力制御手段と、
該出力制御手段により選択された第１圧縮データもしくは第２圧縮データを前記通信相手先に送信する送信手段とを有することを特徴とする画像通信装置。」
を特許請求の範囲の減縮および明りょうでない記載の釈明を目的として、
「所定の画像を示すカラー圧縮された第１圧縮データを出力する第１圧縮手段と、
　通信相手先の機能に応じて、既に得られた前記第１圧縮データを用いて、前記所定の画像を示す白黒圧縮された第２圧縮データを出力する第２圧縮手段と、
　前記通信相手先の機能に応じて、前記第１圧縮データもしくは第２圧縮データを選択的に出力する出力制御手段と、
　該出力制御手段により選択された第１圧縮データもしくは第２圧縮データを前記通信相手先に送信する送信手段とを有することを特徴とする画像通信装置。」
に訂正すると共に、第５段落における
「前記所定の画像を示す白黒圧縮された第２圧縮データを出力する第２圧縮手段」
を明りょうでない記載の釈明を目的として、
「通信相手先の機能に応じて、既に得られた前記第１圧縮データを用いて、前記所定の画像を示す白黒圧縮された第２圧縮データを出力する第２圧縮手段」
と訂正する。
ｂ．請求項２「前記相手先の機能とは圧縮データを伸張する機能であることを特徴とする請求項１に記載の画像通信装置」
を特許請求の範囲の減縮および明りょうでない記載の釈明を目的として、
「前記通信相手先の機能とは前記カラー圧縮された第１圧縮データ、或いは前記白黒圧縮された第２圧縮データを伸張する機能であることを特徴とする請求項１記載の画像通信装置。」に訂正する。
ｃ．請求項３を削除する。
ｄ．請求項４を請求項３とする。
ｅ．請求項５「所定の画像を示すカラー圧縮された第１圧縮データを出力させる第１圧縮ステップと、
前記所定の画像を示す白黒圧縮された第２圧縮データを出力させる第２圧縮ステップと、通信相手先の機能に応じて、前記第１圧縮データもしくは第２圧縮データを選択的に出力させ、出力された第１圧縮データもしくは第２圧縮データを前記通信相手先に送信させる送信ステップとを有することを特徴とする画像通信方法。」
を特許請求の範囲の減縮および明りょうでない記載の釈明を目的として、
「所定の画像を示すカラー圧縮された第１画像データを出力させる第１圧縮ステップと、
　通信相手先の機能に応じて、既に得られた前記第１圧縮データを用いて、前記所定の画像を示す白黒圧縮された第２圧縮データを出力させる第２圧縮ステップと、
　前記通信相手先の機能に応じて、前記第１圧縮データもしくは第２圧縮データを選択的に出力させ、出力された第１圧縮データもしくは第２圧縮データを前記通信相手先に送信させる送信ステップとを有することを特徴とする画像通信方法。」
と訂正し、同時に請求項４とする。
ｆ．明細書第４段落における
「カラー圧縮された画像データ、白黒圧縮された画像データの送受信を効率良く行うことを目的とする。」
を明りょうでない記載の釈明を目的として、
「カラー圧縮された画像データ、白黒圧縮された画像データの生成及び送受信を通信相手先に応じて効率良く行うことを目的とする。」
と訂正する。
ｇ．明細書第６７段落における
「通信相手先の機能に応じて、所定の画像をカラー圧縮した第１圧縮データと、所定の画像を白黒圧縮した第２圧縮データのどちらかを選択的に送信するので、第１圧縮データ、第２圧縮データの送受信を効率良く行うことができる。たとえば、通信相手先がカラー伸張機能を有さない白黒画像通信装置であった場合には、予め送信側で白黒圧縮された第２圧縮データを送信するので、確実にデータ受信、データ処理（伸張処理）及び送信側の意図にあった画像出力等が可能になる。」
を明りょうでない記載の釈明を目的として、
「所定の画像を示すカラー圧縮された第１圧縮データを出力する第１圧縮手段と、通信相手先の機能に応じて、既に得られた前記第１圧縮データを用いて、前記所定の画像を白黒圧縮した第２圧縮データを出力する第２圧縮手段と、前記通信相手先の機能に応じて、前記第１圧縮データもしくは第２圧縮データを選択的に出力する出力制御手段と、該出力手段により選択された第１圧縮データもしくは第２圧縮データを前記通信相手先に送信するので、第１圧縮データ、第２圧縮データの生成及び送受信を通信相手先に応じて効率良く行うことができる。たとえば、通信相手先がカラー伸張機能を有さない白黒画像通信装置であった場合には、前記第１圧縮データを用いて生成された第２圧縮データを送信するので、原稿読み取りかつ圧縮後であっても、確実にデータ受信、データ処理（伸張処理）及び送信側の意図にあった画像出力等が可能になる。」
に訂正する。
（５４）【発明の名称】
画像通信装置及び方法
（５７）【特許請求の範囲】
　　【請求項１】所定の画像を示すカラー圧縮された第１圧縮データを出力する第１圧縮手段と、
　通信相手先の機能に応じて、既に得られた前記第１圧縮データを用いて、前記所定の画像を示す白黒圧縮された第２圧縮データを出力する第２圧縮手段と、
　前記通信相手先の機能に応じて、前記第１圧縮データもしくは第２圧縮データを選択的に出力する出力制御手段と、
　該出力制御手段により選択された第１圧縮データもしくは第２圧縮データを前記通信相手先に送信する送信手段とを有することを特徴とする画像通信装置。
　　【請求項２】前記通信相手先の機能とは前記カラー圧縮された第１圧縮データ、或いは前記白黒圧縮された第２圧縮データを伸長する機能であることを特徴とする請求項１に記載の画像通信装置。
　　【請求項３】更に、各画像について第１圧縮データもしくは第２圧縮データのどちらか一方を選択的に格納する共通の格納手段を有することを特徴とする請求項１に記載の画像通信装置。
　　【請求項４】所定の画像を示すカラー圧縮された第１圧縮データを出力させる第１圧縮ステップと、
通信相手先の機能に応じて、既に得られた前記第１圧縮データを用いて、前記所定の画像を示す白黒圧縮された第２圧縮データを出力させる第２圧縮ステップと、
　前記通信相手先の機能に応じて、前記第１圧縮データもしくは第２圧縮データを選択的に出力させ、出力された第１圧縮データもしくは第２圧縮データを前記通信相手先に送信させる送信ステップとを有することを特徴とする画像通信方法。
【発明の詳細な説明】
　　【０００１】
　【発明の属する技術分野】
　本発明は、カラー画像データを送信することができる画像通信装置及び方法に関するものである。
　　【０００２】
　【従来の技術】
　従来、白黒画像を送受信する白黒ＦＡＸ等の白黒画像通信装置が知られている。また、近年カラー画像を通信したいという要望が増えてきている。
　　【０００３】
　【発明が解決しようとする課題】
　しかしながら、従来の白黒画像通信装置ではカラー圧縮された画像データを送受信することは考えられていなかった。よってカラー画像通信を可能とする画像通信装置を設置し、カラー圧縮された画像データを送信したとしても、通信相手先が白黒画像通信装置ならば、受信画像を送信側の意図にあった画像として出力できないか、受信したカラー圧縮された画像データを処理できないか、もしくは受信することさえもできないことになる。
　　【０００４】
　本発明は、上記問題点を解決する為に成されたものであり、カラー圧縮された画像データ、白黒圧縮された画像データの生成及び送受信を通信相手先に応じて効率良く行うことを目的とする。
　　【０００５】
　【課題を解決するための手段】
　上述の課題を解決する為、本発明の請求項（１）に記載の画像通信装置によれば、所定の画像を示すカラー圧縮された第１圧縮データを出力する第１圧縮手段と、通信相手先の機能に応じて、既に得られた前記第１圧縮データを用いて、前記所定の画像を示す白黒圧縮された第２圧縮データを出力する第２圧縮手段と、通信相手先の機能に応じて、前記第１圧縮データもしくは第２圧縮データを選択的に出力する出力制御手段と、該出力制御手段により選択されたデータを前記通信相手先に送信する送信手段とを有することを特徴とする。
　　【０００６】
　【発明の実施の形態】
（第１の実施の形態）
　図１はカラーファクシミリの送信局における基本色分解装置の一例を示した図である。この図において１は彩色された原稿、２は光源、３ａ，３ｂはハーフミラー、４ａ，４ｂ，４ｃはレンズ、５ａ，５ｂ，５ｃはそれぞれ赤（Ｒ）、緑（Ｇ）、青（Ｂ）のフィルタ、１２は色分解光電変換部をそれぞれ示している。
　　【０００７】
　原稿１は光源２から発した光によって照らされ、その反射光はまず第１のハーフミラー３ａによってその一部が矢印イ方向に分岐される。そして赤フィルタ５ａを通って赤色成分光となり、赤色用センサ６ａで光電変換され赤色対応電気信号として端子７ａに出力される。さらにハーフミラー３ａを矢印ニ方向に透過した光のうちの一部は第２のハーフミラー３ｂによってその一部が矢印ロ方向に分岐され、緑フィルタ５ｂを通る結果、緑色成分光となり、緑色用センサ６ｂで光電変換されて緑色対応電気信号として端子７ｂに出力される。また上記第２のハーフミラー３ｂを透過して矢印ハ方向に進んだ光は青フィルタ５ｃを通る結果、青色成分光のみとなり、青色用センサ６ｃで光電変換されて青色対応電気信号として端子７ｃに出力される。
　　【０００８】
　このようにして色分解がなされて得られた各色信号成分はすべてアナログ量であるので、例えばこれらはそれぞれ専用の増幅器８ａ，８ｂ，８ｃに通された後、やはり専用のＡ／Ｄ変換器９ａ，９ｂ，９ｃに入力され、各々ディジタル化がなされる。ここではそのディジタル化された信号をＶＲ，ＶＧ，ＶＢとして示してある。
　　【０００９】
　これら信号ＶＲ，ＶＧ，ＶＢは色信号送出制御装置１０に入力され、デコーダ１８が有する時分割機能を利用して図２に示したように、例えば原稿１の横第１行の例えば左端の部分像の信号から右方向の信号へ、ＲＧＢ，ＲＧＢ，…として示したように、第１ビット、第２ビット、第３ビット…の順に時系列信号となされて回線１１へ送出される。
　　【００１０】
　しかしながら、現状ですでに広く普及しているファクシミリ局の装置はモノクロ方式であるために、上記のような一方式例で色分解を行っても相手局がカラー再生機能を持っていないモノクロ局であるならば、色識別能力がないために画像は正常に再生できず前記したように画像の送受が不可能となるという欠点があった。ただしファクシミリ信号を合成してカラー再生すること自体は不可能なことではなく、図１に示した送信系統の信号送出制御装置１０を信号受信制御装置に置き替えると共に各色信号の伝達経路を逆にして色信号合成を行うことは容易である。ただ障害となっていることは現在普及しているファクシミリ局のほとんどがモノクロ方式であることであってこれによって上記のような不都合が生じているのが実情である。
　　【００１１】
　図３は、本実施の形態の画像通信装置のブロック図である。
　　【００１２】
　まず初めにカラーファクシミリの全体の流れを図に沿って説明する。
　　【００１３】
　送信時には３０１のスキャナー部で原稿を光学的に色分解しつつＣＣＤ等の光電変換素子により電気信号に変換し、Ａ／Ｄコンバータによりアナログ／デジタル変換する。デジタル化された３色の反射原稿信号は光源、光電変換素子のバラツキ等を補正するためのシェーディング回路を通り、例えばＮＴＳＣの分光特性にあわせるため入力色修正回路に入り、３×３マトリックス等により色補正される。ここまでは各色信号は多値データ（例えば１色８ｂｉｔの２４ｂｉｔデータ）であるが伝送路が現状では狭帯域のため伝送時間がかかりすぎるため分解能を４００ｄｐｉにして２値化データで伝送するのが実用的である。従ってここでも画像データは２値化されたものとしてスキャナ３０１から出るものとする。従ってスキャナ３０１の出口では１画素についてＮＴＳＣ信号のＲＧＢ各１ｂｉｔで、３色合計３ｂｉｔ／ｐｉｘｅｌで出力されるものとする。
　　【００１４】
　スキャナ３０１からの出力データはコントローラー３０６内のバッファメモリ３１１に入る３１１は数ライン分のデータを格納する部分である。３１２は原稿が白黒原稿かカラー原稿かを判別する回路であり、白黒原稿とカラー原稿の自動判別の結果又は操作パネル３０３のカラー／白黒切替えボタンによる手動の設定に基づき、原稿色分解データをカラー圧縮３１３に流すか白黒圧縮３１５に流すかを切替えるものである。このカラー／白黒判別部３１２は図４に示すように判定回路２０１と、その判定結果によって、ＢＶＦ３１１からのデータをカラー白黒変換部３１４（Ａ側）又はカラー圧縮部３１３（Ｂ側）のいずれかを選択するセレクタ２０２、マニュアルでカラー／白黒の設定を行う操作部２０３により構成される。セレクタ２０２はカラー／白黒判定回路２０１の出力が０の場合（白黒）にはＡ側を、２０１の出力が１の場合（カラー）にはＢ側を選択する。またマニュアル設定される場合にはこの判定回路２０１の判定に優先して操作部２０３からのマニュアル設定が行われ、セレクタのＳ０の値にかかわらず、操作部２０３からの設定がＳ１＝０（白黒）の場合にはＡ側がＳ１＝１（カラー）の場合にはＢ側が選択される。
　　【００１５】
　３１４は３１２の自動又は手動によるカラー／白黒の判別で白黒原稿と判定されたデータを３色カラー信号から白黒信号に変換する回路である。
　　【００１６】
　カラー圧縮部３１３においては、ブロック符号化やベクトル量子化等の圧縮アルゴリズムを用いて、色情報を含む画像データの圧縮が行われる。また、白黒圧縮部３１５においては、ＭＨ，ＭＲなど通常白黒のファクシミリ装置で用いられている圧縮アルゴリズムによりデータ圧縮が行われる。
　　【００１７】
　このとき手動又は自動で白黒データになっていれば相手がＧ３、Ｇ４であってもＧ３，Ｇ４の標準圧縮が白黒圧縮部３１５でなされていれば伝送可能である。Ｇ４はＩＳＤＮ用デジタル回線に対しＧ３は電話回線を利用したアナログ回線のためモデムが必要になる。
　　【００１８】
　同様にしてＧ４，Ｇ３から送られた白黒データはハードディスク３１６に格納され白黒、伸長器３１７を経由して復号化される。このときは黒一色のデータであるから、４色同時記録インクジェットプリンタ３０２の様な場合にはイエロー（Ｙ）、マゼンタ（Ｍ）、シアン（Ｃ）のデータを印刷しない０、Ｙ＝Ｍ＝Ｃ＝０とし付加しバッファメモリ３２３に送る。黒ＫはＫ＝１−Ｙｅで計算される。Ｙｅについては後述する。これによりカラー記録時と全く同じ扱いができることになる。
　　【００１９】
　送られたデータがカラーデータのときはハードディスク３１６からカラー復号器３１９を通じＮＴＳＣ信号からプリンタ３０２の色材にあわせた３２０において色修正と黒生成を行う。色修正部３２０からの出力は多値化されているため濃度保存型の２値化回路３２１により４色の４ｂｉｔ／ｐｉｘｅｌデータが出力バッファメモリＢＵＦ３２３に入る。
　　【００２０】
　ＢＵＦ３２３からのデータは白黒データのときもカラーデータのときも４ｂｉｔ／ｐｉｘｅｌで出力される。３０２はカラープリンタ部で例えばインクジェット記録を用いＹ，Ｍ，Ｃ，Ｋの４色のヘッドを４本並べ同時に記録するプリンタである。従ってコントローラ３０６からのＹＭＣＫ４ｂｉｔ／ｐｉｘｅｌデータ３０８はヘッドのレジストレーション部のバッファリングを行って４色印刷されることになる。白黒の時はＹ＝Ｍ＝Ｃ＝０でＫの０ｏｒ１に応じ印刷される。
　　【００２１】
　以上で本実施の形態のカラーファクシミリの概要説明を終え、本実施の形態の中心部分の白黒自動判別手段と、カラー画像信号から白黒画像信号を生成する方法について説明する。
　　【００２２】
　図６はカラー白黒原稿自動判別回路の一例を示すものである。４０１は２値化されたＮＴＳＣのＲＧＢ３ｂｉｔ／ｐｉｘｅｌ信号がくるものとする。ある点（ｉ，ｊ）でのデータ値をｒ，ｇ，ｂとする。４０２は多値化変換部で、例えば２ｎ＋１，２ｍ＋１画素で多値化すると（１）式のようになる。
　　【００２３】
　【外１】
これは４０１の入力信号は０ｏｒ１の２値化信号なので、１画素ごとの色は計算しにくいし、１画素毎の白黒／カラーの判定の必要もない。必要なのは、ある平均面積内での色はどうなのかである。あまりｎ，ｍを大きくすると色文字等の色文字のついた細線部で誤判定をするのでｎ＝ｍ＝１〜１０ぐらいの値が妥当である。
　　【００２４】
（１）で多値化されたデータはＮＴＳのＲ，Ｇ，ＢとＣＩＥのＸＹＺとの変換を（２）で行い、（２）の結果を用いて（３）により明度Ｌと色ａ，ｂを計算する。
　　【００２５】
　【外２】
　　【００２６】
　また、色成分は（４）により与えられる。
　　【００２７】
　【外３】
　　【００２８】
　図６において４０２は（１）の計算を４０３は（２）の計算を４０４は（３）の計算を４０５は（４）の計算を行う回路である。４０６は無彩色範囲をきめる回路で１≦ａ（０＜ａ＜２５５）で無彩色即ち、白黒原稿と判断する場合には４０６のしきい値ｔｈはａとなる。４０７は積算器で、各画素の色がｔｈ＞ａとなる量をカウントし一定画素数以上ならばカラー、それ以下ならば白黒原稿と判断する。ここで一定画素数を基準としたのは、スキャナ３０１の読み取り誤差等に伴う誤判定を防止するためである。
　　【００２９】
　以上によって原稿がカラーか白黒かが判定される、これは原稿の各頁ごとに行うもので、従って自動判別時には１度カラー原稿とし読み取りもっぱら１頁分を判定回路３１２でデータを判定しつつ、カラー圧縮を通じハードディスク３１６にカラー圧縮した形でデータ格納し、１頁終了時点で積算器４０７のカウント数が少なく、白黒原稿とわかった時点で、ディスクに格納したデータをカラー伸長部３１９を通じカラー白黒判別部３１２にデータを入れる。このとき、これから流れるデータは白黒とわかっているからカラー白黒変換部３１４においてカラーデータを白黒変換し３１５白黒圧縮部を通じ再度ハードディスク３１６にデータを書き込む。先に入力したカラーデータはフィードバックしたデータの白黒変換後はデリートする。これによりハードディスク３１６には最小容量でデータ格納される。
　　【００３０】
　図７はカラー２値データから白黒２値データを得る方法を説明する図である。例えば（Ｒ１、Ｇ１、Ｂ１）の１組を用いて白黒データを作成する。ここでＲＧＢはスキャナ３０１から出力された２値データである。この画像が操作パネル２０３から手動で白黒原稿モードに、又は３１２のカラー／白黒自動判別部より白黒原稿とされた時には（５）式により白黒信号を生成する。
　　【００３１】
Ｙｌ＝０．２９９Ｒ＋０．５８７Ｇ＋０．１１４Ｂ…（５）
　　【００３２】
　ＲＧＢは２値データなので０ｏｒ１であるが０→０，１→２５５に変換し（５）式を計算する。Ｙｌ≧１２８であれば白黒２値化データＫはＫ＝０（ドットを打たない）、Ｙｌ＜１２８であればＫ＝１（ドットを打つ）とする。
　　【００３３】
（５）式は入力がＮＴＳＣ信号で色分解した信号である場合の式であるが、それ以外の信号を入力した場合には係数は変わるが基本的考え方は同様にして白黒信号を得られる。
　　【００３４】
　以上のように、本実施の形態によれば原稿の白黒／カラーを手動又は自動で設定することにより白黒原稿の場合には白黒画像用の圧縮方法を用いカラー原稿の場合には、カラー画像用の圧縮方法を用いることにより、白黒原稿の場合に圧縮効率を大幅に向上させることができる。
　　【００３５】
　また、カラー白黒変換部３１４を有することにより、原稿の一部に有彩色画素が存在する場合であっても、白黒用の圧縮アルゴリズムを用いることができる。また、これによって既存の白黒のＧ３，Ｇ４などのファクシミリとの交信が可能となる。
　　【００３６】
　また、カラー白黒判別部３１２においては、自動判別に加えてマニュアル判別もできるようにしたので、カラー原稿であっても短時間に送受信したい場合やカラーで送る必要がない場合には、白黒用の圧縮アルゴリズムを用いて送受信することができる。
　　【００３７】
（第２の実施の形態）
　第２の実施の形態の基本構成も図３に示すのと同様である。
　　【００３８】
　本実施の形態においては、第１の実施の形態でカラー／白黒判別の際に用いたＮＴＳＣのＲ，Ｇ，Ｂ信号からＬ，ａ，ｂ信号への変換のかわりにＨＬＳ信号への変換を用いる。
　　【００３９】
　即ち図６のＬ，ａ，ｂへの変換のための回路４０３，４０４のかわりに図８に示す様なＨＬＳ変換部４０８を有する点を第１の実施の形態と異なる。
　　【００４０】
　ここで、Ｒ，Ｇ，Ｂ信号からＨ，Ｌ，Ｓ信号への変換のための式は図９に示す通りである。そして色成分は（６）式により与えられる。
　　【００４１】
　【外４】
このｌから無彩色範囲を決める方法は第１の実施の形態と同様である。
　　【００４２】
　なお、Ｒ，Ｇ，Ｂ信号からの変換は上述のＬ，ａ，ｂ信号、Ｈ，Ｌ，Ｓ信号に限らず、Ｌ，ｕ，ｖ信号など画素毎の有彩／無彩を判定することのできるような明度信号と色味の信号に分けられたパラメータとすれば同様の判定を行うことができる。また、パラメータ変換をしなくても例えばＭａｘ（Ｒ，Ｇ，Ｂ）−Ｍｉｎ（Ｒ，Ｇ，Ｂ）空間における有彩色、無彩色の分布によってもカラー／白黒の判定ができる。
　　【００４３】
（第３の実施の形態）
　図１０は第１の実施の形態のカラー／白黒自動判別手段を有するカラーファックスの利用の一例を示すものである。６０１はＩＳＤＮ（デジタル通信網）、６０２はＰＳＴＮ（公衆電話回線）、６０４はＣ社６０３で使うカラー／白黒自動判別手段を有するカラーファクシミリである。Ａ社６０５ではカラーファックス（ＣＦＡＸ）６０６がＦｌｉｎｅを通じＩＳＤＮに接続され、Ｇ４白黒ファックス６０７がＥｌｉｎｅを通じ同じくＩＳＤＮに接続されているとする。Ｂ社６０８ではカラーＦＡＸ６０９がＣｌｉｎｅを通じＩＳＣＮに、Ｇ３白黒ＦＡＸ６１０がＤｌｉｎｅを通じＰＳＴＮに接続されているとする。
　　【００４４】
　いま、Ｃ社６０３からＡ社６０５にカラー、白黒混在原稿を送るときＣＡＦＡＸ６０４はそのカラー白黒自動判別又は手動手段３１２によりカラーのときはＡｌｉｎｅを通じＩＳＤＮ経由でＥｌｉｎｅのカラーファックスに伝送出来、白黒原稿のときは６０７のＧ４白黒ＦＡＸに自動切替えし、高速で、高品位な白黒画像データを伝送出来る。同様にしてＢ社のにもカラー／白黒識別し別々のファックスに伝送出来るようになる。
　　【００４５】
　本実施の形態を用いるＣＡＦＡＸ（６０４，６０６，６０９）は、第１の実施の形態で説明した画像通信装置である。また、Ａ社のＣＡＦＡＸ６０６，Ｇ４ＦＡＸ６０７に接続されるＥｌｉｎｅ，Ｆｌｉｎｅ、Ｂ社のＣＦＡＸ６０９，Ｇ３ＦＡＸ６１０に接続されるＣｌｉｎｅ，ＤｌｉｎｅはそれぞれアドレスによりカラーＦＡＸであるが、白黒ＦＡＸであるかが登録されており、送信側Ｃ社のＣＡＦＡＸ６０４で選択可能となっている。
　　【００４６】
　そして、原稿がカラー画像と判別部３１２で判別された場合にはＣＦＡＸ６０６或はＣＦＡＸ６０９に対して送信し、白黒画像と判別された場合にはＧ４ＦＡＸ６０７或はＧ３ＦＡＸ６１０に対して送信する。
　　【００４７】
　なお受信側のＡ社又はＢ社がカラーファクシミリしか有しない場合には、カラーファクシミリに送信し、白黒ファクシミリしか有しない場合には、カラー原稿と判定されても白黒圧縮３１５において白黒用の圧縮を行い送信することにより、多くの原稿中カラーはカラーファックスに、白黒原稿は白黒専用ファックスに伝送出来るようになり、通信スピード，画像，コスト等の面で非常に大きい効果をもたらす。
　　【００４８】
　また、ＩＳＤＮ回線などでは、１つの回線に対して複数のサブアドレスの指定が可能でありそのサブアドレスに白黒とカラーのＦＡＸを設置してもよい。この場合、また、本実施の形態によれば、カラーファクシミリの現状の普及ぐあいからＧ４，Ｇ３機とも交信出来るようにカラー原稿中白黒原稿があれば自動的に白黒信号を作成し、白黒モードで圧縮し、圧縮効率を高め、さらに受信時に黒インク単色で記録することにより３色重ねての黒記録より文字部等の細線部のしまりをよくし、白黒原稿伝送時の高画質化をはかることができる。このためにカラー／白黒原稿自動判別手段を設け、更に操作パネル上に白黒設定スイッチを設け、これで白黒モードを設定することにより３色カラーデータから輝度信号を得、それを２値化することにより白黒データを得て、カラーファクシミリ以外の従来ファックスとの交信を実現することができる。
　　【００４９】
（第４実施の形態）
　第４の実施の形態の画像処理装置の基本構成は第１の実施の形態と同様であるが、本実施の形態においてはカラー／白黒判別の方法が異なる。
　　【００５０】
　即ち、第１の実施の形態においては、原稿の頁毎にカラー／白黒の判別を行ったが、このような判別方法を用いると複数頁からなる原稿にカラー頁と白黒頁が混在する場合に第３の実施の形態のように原稿の自動（又は手動）判別によって受信側のカラープリンタと白黒プリンタを選択して送信すると、１つの原稿が複数のプリンタに分散してしまい、特に白黒プリンタとカラープリンタが離れて設置されている場合に不都合が生じる。そこで、本実施の形態においては原稿毎にカラー／白黒の判別を行うことにより、係る問題を解決している。
　　【００５１】
　図３を用いて本実施の形態の構成を説明する。
　　【００５２】
　図３においてカラー／白黒判別部３１２は、第３の実施の形態同様頁毎に原稿のカラー／白黒を判定する。そして、カラーと判定された頁はカラー圧縮部３１３においてカラー画像圧縮のアルゴリズムで圧縮されハードディスク３１６に格納される。一方、白黒と判定された頁はカラー白黒変換部３１４を経て、白黒圧縮部３１５において、白黒画像圧縮のアルゴリズムを圧縮され、ハードディスク３１６と格納される。
　　【００５３】
　ここで本実施の形態においては図５に示す様にカラー／白黒判定回路２０１の出力信号のうち出力１（即ちカラーと判定された頁）をカウントするカウンタ２０４を設け複数頁の判定を行った時点でカウンタ値が０の場合以外はその原稿全部をカラーファックス（図１０におけるＣＦＡＸ６０６，ＣＦＡＸ６０９）に送信してカラー出力を行う。本実施の形態によれば、原稿が複数頁からなる場合に頁毎ではなく原稿毎にカラー／白黒の判定を行うので、白黒／カラーの混在する原稿もまとめて１つの受信機に送信することができる。またその際に圧縮は白黒の頁は白黒画像の圧縮が行われるので通信時間の短縮、コストの低減を図ることができる。
　　【００５４】
（第５実施の形態）
　上記第３の実施の形態においては、受信側のファクシミリの種類を送信側にアドレスとしてあらかじめ登録しておき、原稿のカラー／白黒に応じて送信先を選択しているが、本実施の形態のように通信開始前の手順によって受信側のファクシミリの種類を確かめそれに応じて送信先のファクシミリを選択してもよい。
　　【００５５】
　本実施の形態を図１１のフローチャートを用いて説明する。
　　【００５６】
　まず色分解装置１２により１頁分の原稿を読み取り（Ｓ１）、次にカラー／白黒判別部３１２で原稿のカラー／白黒が判別される（Ｓ２）。カラー原稿と判定された場合にはカラー圧縮部３１３においてカラー画像圧縮が行われ（Ｓ３）、白黒原稿と判定された場合には、白黒圧縮部３１５において白黒画像圧縮（Ｓ４）が行われる。圧縮データはいずれの場合もハードディスク３１６に格納される。
　　【００５７】
　原稿が複数頁にわたるときは、全頁についてこの処理をくり返し（Ｓ５）、終了したら受信側とのプロトコルに移る（Ｓ６）。
　　【００５８】
　原稿が全て白黒であって（Ｓ７）受信側と白黒ＦＡＸがある場合（Ｓ８）には白黒のＦＡＸ（例えば図１０のＧ４ＦＡＸ６０５やＧ３ＦＡＸ６１）に送信する（Ｓ９）。また原稿が全て白黒であるが（Ｓ７）、受信側がカラーＦＡＸのみの場合（Ｓ８）には、カラーＦＡＸに白黒画像データを送信する（Ｓ１０）。このとき、受信側のカラーＦＡＸは図３に示すようにカラー伸長部３１９と白黒伸長部３１７の双方を有するので、白黒画像圧縮データを受信した場合も白黒の画像再生を行うことができる。
　　【００５９】
　一方原稿の中に少なくとも一頁がカラーと判定され（Ｓ７）、受信側にカラーＦＡＸ（例えば図１０のＣＦＡＸ６０６、６０９）がある場合には（Ｓ１１）、カラーＦＡＸに送信する（Ｓ１２）、またカラーＦＡＸがない場合には、ハードディスク３１６に格納された画像データのうち、カラー画像圧縮の行われた部分をカラー伸長部３１９で伸長し、カラー白黒変換部３１４により白黒画像データに変換した後に白黒圧縮部３１５で白黒画像圧縮を行い再度ハードディスク３１６に格納する。このようにしてカラー部分を白黒圧縮に変更し（Ｓ１３）、白黒ＦＡＸに送信する（Ｓ１４）。
　　【００６０】
　本実施の形態によれば送信側で原稿の白黒／カラー判別後、プロトコルによって、受信側の装置がカラー用が白黒用かを判断して送信を行うので、受信側の装置がいずれかあらかじめわかっていない場合であっても適切な選択を行うことができる。
　　【００６１】
　また、原稿のカラー／白黒と受信側の装置のカラー／白黒の双方を考慮しているので、いずれか一方のみの判定に基づいて制御する場合に比べて一層の効率化を図ることができる。
　　【００６２】
　なお、以上の実施の形態においては、入力信号をＲ，Ｇ，Ｂ信号としたが、入力信号はＹ（イエロー）、Ｍ（マゼンタ）、Ｃ（シアン）等の他の色成分信号の組み合わせであってもよい。
　　【００６３】
　また、入力信号は原稿画像を直接読み取ったものでなくても例えば、コンピュータ出力や磁気ディスクを用いたファイルシステムの出力であってもよい。
　　【００６４】
　また、上記実施の形態ではプリンタとしてＢＪ（バルブジェット）プリンタを用いたが、カラードットプリンタ、カラーインクジェットプリンタ、カラーレーザービームプリンタ、サイカラープリンタなどカラー画像形成可能なプリンタであればよい。
　　【００６５】
　また、２値データの場合について説明したが、多値データの送受信の場合も原理は同様である。多値データの送受信を行う場合にはスキャナ３０１における２値化部カラー／白黒判別部３１２における多値化回路４０２が不要になる。
　　【００６６】
　また、カラー／白黒の判定は、頁毎でなくてもよい。即ち、一定頁以上まとめて判定してもよいし、半頁毎に判定してもよい。後者の場合、判定の単位が小さくなるにつれて一頁中のカラー部分、白黒部分を分離することができ、それぞれに適した圧縮方法をとることができる。
　　【００６７】
　【発明の効果】
　以上説明した様に本発明によれば、所定の画像を示すカラー圧縮された第１圧縮データを出力する第１圧縮手段と、通信相手先の機能に応じて、既に得られた前記第１圧縮データを用いて、前記所定の画像を示す白黒圧縮された第２圧縮データを出力する第２圧縮手段と、前記通信相手先の機能に応じて、前記第１圧縮データもしくは第２圧縮データを選択的に出力する出力制御手段と、該出力制御手段により選択された第１圧縮データもしくは第２圧縮データを前記通信相手先に送信するので、第１圧縮データ、第２圧縮データの生成及び送受信を通信相手先に応じて効率良く行うことができる。たとえば、通信相手先がカラー伸長機能を有さない白黒画像通信装置であった場合には、前記第１圧縮データを用いて生成された第２圧縮データを送信するので、原稿読み取りかつ圧縮後であっても、確実にデータ受信、データ処理（伸長処理）及び送信側の意図にあった画像出力等が可能になる。
【図面の簡単な説明】
　　【図１】
　本発明の第１の実施の形態の基本色分解装置の一例を示す図
　　【図２】
　Ｒ，Ｇ，Ｂの時系列信号を示す図
　　【図３】
　本発明のカラー画像処理装置の基本構成を示すブロック図
　　【図４】
　図３におけるカラー／白黒判別部３１２の詳細図
　　【図５】
　図３におけるカラー／白黒判別部３１２の詳細図
　　【図６】
　カラー／白黒原稿自動判別回路を示すブロック図
　　【図７】
　カラー２値データから白黒２値データの作成を示す図
　　【図８】
　カラー／白黒原稿自動判別回路の別の例を示すブロック図
　　【図９】
　Ｒ，Ｇ，Ｂ信号からＬ，Ｓ，Ｈ信号への変換式を示す図
　　【図１０】
　本発明のカラー画像処理装置を用いたネットワークを示す図
　　【図１１】
　本発明のカラー画像処理装置を用いて通信を行う場合のフローチャート
　　【符号の説明】
　３１２　カラー／白黒判別部
　３１３　カラー圧縮部
　３１５　白黒圧縮部